(57)【特許請求の範囲】
【請求項１】
箱形躯体の外側に玄関ポーチを配置し、内部の床全域に玄関土間を設けた第１の建物ユニットと、この第１の建物ユニットに並設し、この第１の建物ユニットに面する位置に玄関床を設けた第２の建物ユニットとを備え、
前記第１の建物ユニットには、前記第２の建物ユニットに接する下梁の内側に沿って、前記玄関床と連続する上がり框部が前記第１の建物ユニットの内側に前記下梁の厚さより大きく張り出すようにして予め一体に固定され、
前記上がり框部が、前記第２の建物ユニットの玄関床と同一の高さでユニットの内側に張り出した床面部と、この床面部の前面に固定した框とを備え、
前記床面部を、中空形状の金属部材で形成したことを特徴とする玄関用建物ユニット。
【請求項２】
前記框を、前記床面部の全面に固定した受け部に支持されており、前記玄関土間からの上り口となる踏み部と、前記床面部の前面を覆うカバー部とを備えていることを特徴とする請求項１記載の玄関用建物ユニット。
【請求項３】
内部の床に土間を設けた第３の建物ユニットを、該土間が前記第１の建物ユニットの玄関土間に通じるように、前記第１の建物ユニットに並設したことを特徴とする請求項１又は２に記載の玄関用建物ユニット。
【請求項４】
前記第１の建物ユニットの玄関土間と、前記第３の建物ユニットの土間とを、同一レベルに設定したことを特徴とする請求項３記載の玄関用建物ユニット。
【発明の詳細な説明】
【０００１】
【発明の属する技術分野】
本発明は、玄関用建物ユニットに係り、ユニット工法で建築されるユニット式住宅等の玄関用建物ユニットに関する。
【０００２】
【背景の技術】
従来より、予め工場で製造した複数の建物ユニットを、建築現場で水平方向に並設し、或いは上下方向に積み上げて建築するユニット式住宅が知られており、建築現場において短期間の間に建築を完了できるメリットがある。
【０００３】
建物ユニットの基本構成は、四隅に配置した柱の上下端をそれぞれ四角枠状の天井梁及び床梁で連結した箱形躯体をなしているが、建物の各居住空間に合わせて構成が異なる複数種類の建物ユニットを備えている。
【０００４】
ユニット式建物の玄関は、玄関形式専用の一つの建物ユニット（以下、玄関用建物ユニット）を用いている。この玄関用建物ユニットは、通常、箱型躯体の玄関ドアを配置する部分の外側に玄関ポーチを設け、箱形躯体の内部に、玄関ドアに通じる玄関土間と、この玄関土間に通じる玄関床とを設けた構成としている。
【０００５】
【発明が解決しようとする課題】
ところで、ユニット式建物の玄関を、くつろぎやすい空間にしたいという施工主の要望が増えてきている。くつろぎやすい玄関空間とするには、玄関土間や玄関床の両方を広くすることが考えられるが、前述した一つの玄関用建物ユニットでは、玄関土間や玄関床の広さには限界がある。
【０００６】
そこで、最近、２ユニットの建物ユニットで玄関を形成するユニット式建物が建築されているが、このユニット式建物では、現場における玄関部分、例えば玄関土間と玄関床を仕切る上がり框などの施工が複雑であり、施工期間の短縮、施工コストの面で問題がある。
【０００７】
本発明は、上記課題に鑑みてなされたものであり、現場での施工の簡略化を図りながら、くつろぎやすい玄関とすることが可能な玄関用建物ユニットを提供することを目的とする。
【０００８】
【課題を解決するための手段】
本発明に係る玄関用建物ユニットは、箱形躯体の外側に玄関ポーチを配置し、内部の床の略全域に玄関土間を設けた第１の建物ユニットと、この第１の建物ユニットに並設し、この第１の建物ユニットに面する位置に玄関床を設けた第２の建物ユニットとを備え、前記第１の建物ユニットに、前記第２の建物ユニットに接する下梁の内側に沿って、前記玄関床と連続する上がり框部を前記第１の建物ユニットの内側に前記下梁の厚さより大きく張り出すようにして予め一体に固定し、
前記上がり框部を、前記第２の建物ユニットの玄関床と同一の高さでユニットの内側に張り出した床面部と、この床面部の前面に固定した框とを備えた構造とし、
前記床面部を、中空形状の金属部材で形成したユニットである。
【０００９】
このように構成した玄関用建物ユニットは、第１の建物ユニットの床の略全域が玄関土間となって広い空間となるので、その玄関土間でゆっくり話し込んだり、遊ぶことができる。また、第１の建物ユニットの下梁の内側に、第２の建物ユニットの玄関床と連続する上がり框部を予め一体に固定しているので、現場における玄関の施工作業を少なくすることができる。
【００１０】
また、上がり框部に床面部を設けたことで第２の建物ユニットにおいて玄関床が占める面積を小さくすることができ、第２の建物ユニットを他の空間に有効に利用することができる。
【００１１】
また、前記床面部を、中空形状の金属部材で形成したので、軽量化を図りながら強固な床部を設けることができる。また、前記框を、前記床面部の全面に固定した受け部に支持され、前記玄関土間からの上り口となる踏み部と、前記床面部の前面を覆うカバー部とを備えている構造としてもよい。
【００１２】
このようにすると、玄関土間からの上がり口の構造が簡素となり、製造コストの低減が図られる。
さらに、内部の床に土間を設けた第３の建物ユニットを、該土間が前記第１の建物ユニットの玄関土間に通じるように、前記第１の建物ユニットに並設してもよい。
【００１３】
玄関土間と土間とでさらに広い空間となり、くつろぎやすい空間となる。
さらにまた、前記第１の建物ユニットの玄関土間と、前記第３の建物ユニットの土間とを、同一レベルに設定してもよい。
このようにすると、玄関土間と土間との行き来がより自由になって、あたかも広い一つの空間のように感じる。
【００１４】
【発明の実施の形態】
以下、本発明の実施形態を図面に基づいて説明する。
図１は、ユニット式住宅の平面構造を示すものであり、符号２は玄関、符号４は土間、符号６はトイレ、符号８はキッチン、符号１０はリビングルーム、符号１２は和室である。
【００１５】
玄関２は、玄関ポーチ２ａに面する玄関ドア２ｂと、玄関土間２ｃと、リビングルーム１０に通じる玄関床２ｄとを備えている。
そして、土間４は、玄関ドア２ｂに面する開口部１４を介して同一レベルの高さで玄関土間２ｃに通じている。
【００１６】
ここで、このユニット式住宅は、複数の箱形形状の建物ユニットを、少なくとも水平方向に並設することで構築されている。
例えば、玄関２は、第１の建物ユニットＡ及び第２の建物ユニットＢとで構成されており、土間４は、第３の建物ユニットＣで構成されている。
【００１７】
各建物ユニットは、規定寸法（例えば９１０ｍｍ）を１モジュールとし、そのモジュールに基づく寸法で規定されたユニットモジュール芯（複数の建物ユニットを組み合わせてユニット式建物を建てたときに、各建物ユニットの大きさをユニット式建物の寸法との関係で表すための基準）Ｇ１〜Ｇ７で囲まれた位置に配置されており、四隅に配置した柱の上下端を、それぞれ四角枠状の天井梁及び床梁で連結した箱形躯体をなしている。
【００１８】
図２は、第１の建物ユニットＡの下部構造を平面視で示したものである。
この第１の建物ユニットＡは、玄関ポーチ２ａの一部を設け、内部の床に玄関土間２ｃを設けたユニットである。そして、この第１の建物ユニットＡの下梁１６ａ〜１６ｄのうち、第２の建物ユニットＢの玄関床２ｄに面する下梁１６ａの内側には、その梁の長手方向に沿って、玄関床２ｄと連続する上がり框部１８が一体に固定されている。
【００１９】
上がり框部１８は、図３に示すように、チャンネル材からなる下梁１６ａの内側に、チャンネル材からなる補強部材２０を固定して横断面矩形断面を形成し、この補強部材２０に、横断面矩形中空形状の金属部材からなる床面部２２をボルト２４及びナット２６で締結している。そして、床面部２２の前面に、横断面逆Ｌ字形状の金属材からなる受け部２８を固定した後、この受け部２８に、玄関土間２ｃからの上がり口となる踏み部３０と、床面部２２の前面を覆うカバー部３２を一体に設けている。そして、第２の建物ユニットＢの玄関床２ｄ側から敷設したフローリング３４を、床面部２２の上面及び踏み部３０の上面まで延在させている。
【００２０】
図４は、前述した下梁１６ａに直交配置されている下梁１６ｂの○印の記号IVで示す部分の構造を示すものであり、この下梁１６ｂは、チャンネル材３６、３８の端部に固定したフランジ４０、４２を、ボルト４４及びナット４６で連結することで構成されている。
また、第２の建物ユニットＢ、第３の建物ユニットＣの両者も、第１の建物ユニットＡと基本構成を同一としている。
【００２１】
上記構成によると、第１の建物ユニットＡの床の全域が玄関土間２ｃとなって玄関ドア２ｂから内部が広い空間となるので、玄関土間２ｃでゆっくり話し込んだり、遊ぶことができ、快適な２玄関の空間を得ることができる。
また、第１の建物ユニットＡの下梁１６ａの内側に、第２の建物ユニットＢの玄関床２ｄと連続する上がり框部１８を予め一体に固定しているので、建築現場における玄関２の施工作業を少なくすることができる。
【００２２】
また、上がり框部１８に床面部２２を設けたことで、第２の建物ユニットＢにおいて玄関床２ｄが占める面積を小さくすることができ、それにより、第２の建物ユニットＢに、図１に示すような、大きな収納室５０、５２を設けることができる。
また、前記床面部２２を、横断面矩形中空形状の金属部材で形成したことで、軽量化を図りながら強固な床部とすることができる。
【００２３】
また、床面部２２の前面に、横断面逆Ｌ字形状の金属材からなる受け部２８を固定した後、この受け部２８に、踏み部３０と、床面部２２の前面を覆うカバー部３２を一体に設けたことから、玄関土間２ｃからの上がり口を簡素な構造として、ユニット式建物のコスト低減化を図ることができる。
そして、第１の建物ユニット２の玄関土間２ｃと、第３の建物ユニットＣの土間４を、開口部１４を介して同一レベルの高さで通じてようにしているので、玄関土間２ｃと土間４との行き来がより自由になって、あたかも広い一つの空間のように感じることができる。
【００２４】
【発明の効果】
以上説明したように、本発明に係る玄関用建物ユニットによると、第１の建物ユニットの床の略全域が玄関土間となって広い空間となるので、その玄関土間でゆっくり話し込んだり、遊ぶことができる。また、第１の建物ユニットの下梁の内側に、第２の建物ユニットの玄関床と連続する上がり框部を予め一体に固定しているので、現場における玄関の施工作業を少なくすることができる。
【図面の簡単な説明】
【図１】本発明に係るユニット式建物を示す平面図である。
【図２】本発明に係る第１の建物ユニットを示す平面図である。
【図３】図２のIII −III 線矢視図である。
【図４】図２の○印の記号IVで示す部分の拡大図である。
【符号の説明】
２    玄関
２ａ  玄関ポーチ
２ｃ  玄関土間
２ｄ  玄関床
４    土間
１６ａ〜１６ｄ  下梁
１８  上がり框部
２２  床面部
２８  受け部
３０  踏み部（框）
３２  カバー部（框）
Ａ    第１の建物ユニット
Ｂ    第２の建物ユニット
Ｃ    第３の建物ユニット
【図１】
0004744684.tif 000002
【図２】
0004744684.tif 000003
【図３】
0004744684.tif 000004
【図４】
0004744684.tif 000005